(57)【特許請求の範囲】
【請求項１】
管をストック及び搬送する際に、所定の配置形式で互いに並列にしかも上下方向で間隔をおいて位置する層を成すように、管を支持するための装置であって、取付け位置で各管層の下方及び上方に垂直方向で重ね合わせて配置された管保持体（１）が設けられていて、該管保持体（１）が上側面及び下側面に、管を受容するための多数の台形の切欠き（２）を有していて、該切欠きが、互いに間隔を置いて配置されかつ直径方向で互いに向かい合っており、前記管保持体が、端面側の締め付け手段（１０,１４；２０）によって互いに締め付けられて１つのユニットを成している形式のものにおいて、
一体に形成された管保持体（１）の、両側の切欠き（２）の間に位置する中央部分（１６）に、ダブルＴ字形・プロフィールによって形成された、管支持体（１）のほぼ全長に亙って延びる補強挿入体（１７）が設けられており、該補強挿入体（１７）の中央脚部（１８）が、切欠き（２）の基面（４）に対して平行に、これらの基面（４）の間で中央に配置されており、管保持体（１）の端部に、それぞれ取付け位置で垂直な、上から下へ貫通する、締め付け手段（１０,１４；２０）を収容するみぞ（９）が設けられており、補強挿入体（１７）の中央脚部（１８）が、管保持体（１）の端部側のみぞ（９）の領域で切欠かれていることを特徴とする、管を支持するための装置。
【請求項２】
補強挿入体（１７）が、管保持体（１）の中央部分（１６）の幅及び高さをほぼ占めている、請求項１記載の装置。
【請求項３】
管保持体（１）の端部に、端部側のみぞ（９）を横切る横方向差込部材（１３）を受容するために、水平な中央平面（１２）の高さで延びる貫通する横方向孔（１１）が設けられている、請求項１または２記載の装置。
【請求項４】
前記横方向孔（１１）の高さで、内側のみぞ側壁に、管保持体（１）の端面（６）に対して垂直に延びる内側みぞ（１５）が設けられていて、該内側みぞの幅が、横方向孔（１１）の直径よりも大きく形成されている、請求項３記載の装置。
【請求項５】
締め付け手段として、フラットベルト（１０）が設けられていて、該フラットベルトが、それぞれ最上部及び最下部の管保持体（１）内で同じ側にある横方向差込部材（１３）に巻掛け可能で、ラチェット式ターンバックル（１４）によって締め付け可能である、請求項３または４記載の装置。
【請求項６】
締め付け手段として、ねじ式ターンバックル（２０）が設けられていて、該ねじ式ターンバックル（２０）が、各端部側に逆向きの内ねじ山（２１´）を備えた締め付け棒（２１）と該締め付け棒（２１）に螺入可能な２つの締め付け部材（２２）とを有していて、該締め付け部材が、管保持体（１）の横方向差込部材としての横ピン（１３）に結合可能な締め付け部分（２４）と外ねじ山（２３´）を有する締め付けピン（２３）とを備えている、請求項３または４記載の装置。
【請求項７】
締め付け棒（２１）が、締め付けスパナ係合面を形成するために、少なくとも部分的に横断面が多角形である外郭を有している、請求項６記載の装置。
【請求項８】
締め付け棒（２１）が、少なくとも部分的に横断面が六角形である外郭を有している、請求項６または７記載の装置。
【請求項９】
取付け位置でねじ式ターンバックル（２０）の構成部材の締め付け位置を固定するための手段が設けられている、請求項５から８までのいずれか１項記載の装置。
【請求項１０】
少なくとも１つの締め付けピン（２３）に、ねじ式ターンバックル（２０）の構成部材の締め付け位置で、隣接する締め付け棒（２１）の端部に対して対向係合でねじ止め可能な止ナット（２６）が設けられている、請求項９記載の装置。
【請求項１１】
管保持体（１）が、ポリマー材料から一体に形成されており、補強挿入体（１７）が金属材料から成っており、該補強挿入体（１７）が、管保持体（１）内に注型もしくは射出によって埋め込まれている、請求項１から１０までのいずれか１項記載の装置。
【発明の詳細な説明】
【０００１】
【発明の属する技術分野】
本発明は、管をストック及び搬送する際に、所定の配置形式で互いに並列にしかも上下方向で間隔をおいて位置する層を成すように、管を支持するための装置であって、取付け位置で各管層の下方及び上方に垂直方向で重ね合わせて配置された管保持体が設けられていて、該管保持体が上側面及び下側面に、管を受容するための多数の切欠きを有していて、該切欠きが、互いに間隔を置いて配置されかつ直径方向で互いに向かい合っており、前記管保持体が、締め付け手段によって互いに締め付けられて１つのユニットを成している形式のものに関する。
【０００２】
【従来の技術】
上記形式の装置は種々の構成で公知である（ドイツ連邦共和国特許第３９２８３２０号明細書、欧州特許第０４１５２６５号明細書、SIGMA-Chemie(U.S.A)Inc.,P.O.Box 90398,Houston,TX.77090「US-Prospekt“SIGMA-PAK”」)。公知の全ての構成では、切欠きは部分円筒形の横断面形状を有し、この場合、部分円筒形の切欠きの直径は、ストック及び搬送すべき管の直径に対応している。従って各管の直径に合わせてそれぞれ別個の装置が提供されなければならない。
【０００３】
【発明が解決しようとする課題】
従って本発明の課題は、構造が簡単で安価に製作できるにも拘わらず、広範に使用できるような支持装置を提供することにある。
【０００４】
【課題を解決するための手段】
前記課題は本発明によれば、特許請求の範囲第１項の特徴部分に記載の本発明の構成によって解決された。
【０００５】
本発明の別の有利な構成は、その他の請求項に記載されている。
【０００６】
【発明の効果】
本発明による装置は、広範な多様の直径を有する管のために使用することができる。というのは、台形の切欠き内に、台形形状によって規定可能な直径範囲内の直径を有する管を確実に支持できるからである。この場合、管支持体は簡単に安価に製作可能で、極めて安定的であり、かつ簡単にユニットとして確実に纏め合わせることができる。
【０００７】
【発明の実施の形態】
図示の支持装置は、取付け位置で各管層の下方及び上方に垂直方向で重ね合わせて配置された管保持体１を有しており、これらの管保持体１は、上側面及び下側面に管を受容するための多数の切欠き２を有していて、これら切欠きは、互いに間隔を置いて配置されていてかつ直径方向で互いに向かい合っている。図示の実施例においては、管保持体１はそれぞれ上側面及び下側面に切欠き２を３つずつ有しているので、管保持体１は管層の内で３つの管を支持するのに適する。しかしながら、切欠き２の数は２つ、４つ及びそれ以上であることももちろん可能である。管層の数も、３つに限られるものではなく、２つ、４つ及びそれ以上であってよい。
【０００８】
切欠き２は全て、台形の横断面形状を有しており、この場合それぞれ外向きに拡開する側面３が、これら側面３の間に位置する基面４と１２０゜乃至１５０゜、有利には１３５゜の角度を成している。拡開する側面３は、外面側で、基面４に対して平行に延びる管保持体１の外面５に移行していて、これら外面５は、ユニット内の最上部もしくは最下部に位置する管保持体１において、設置面として用いられる。
【０００９】
管保持体１は端部側に、取付け位置で垂直な平らな端面６を有しており、これらの端面６は、内側の隣接する外面５のそれぞれ外側の端縁部７,８を接続している。この場合、管保持体１の端面には、それぞれ取付け位置で垂直な、上から下へ貫通するみぞ９が設けられており、このみぞ９は、ユニット内に管保持体１を間挿した場合に締め付け手段１０を導入するために用いられる。
【００１０】
管保持体１の全ての端部には、管保持体１の水平な中央平面１２の高さで延び貫通する横方向孔１１が、端部側のみぞ９を自由に横切る横方向差込部材１３を受容するために設けられている。割ピンを介して固定可能なこれらの横方向差込部１３は、ユニット内の最上部もしくは最下部に位置する管保持体１の横方向孔１１に挿入されている。これらの横方向差込部材１３は、締め付け手段１０を支持するために用いられる。この締め付け手段１０は、横方向差込部材１３を巡って案内されるフラットベルトとして構成することができ、このフラットベルトは、ラチェット式ターンバックル１４によって締め付け可能である。
【００１１】
前記のようなラチェット式ターンバックル１４を、例えばユニット内の最上部の管保持体１の横方向差込部材１３に装着するために、横方向孔１１の高さで、みぞ９の内側のみぞ側壁に、管保持体１の端面６に対して垂直な内側みぞ１５が設けられている。この内側みぞ１５の幅は、横方向孔１１もしくは、この横方向孔１１内に受容可能な横方向差込部材１３の直径よりも大きいので、ラチェット式ターンバックル１４の付設部が内側みぞ１５内に延びることができる。別の締め付け手段が用いられる場合は、これに対応して内側みぞ１５は除かれてもよい。
【００１２】
管保持体１が有利にはポリマー材料から製作されている場合には、両側の切欠き２の間に位置する、管保持体１の中央部分１６に、補強挿入体１７が設けられている。補強挿入体１７は、有利には鋼のような金属材料から成り、管保持体１内に、注型されるかもしくは射出される。補強挿入体１７は、有利にはダブルＴ字形・プロフィールを有する支持体として形成されており、このような支持体の中央脚部１８は、切欠き２の基面４に対して平行に、これらの基面４の間で中央に配置されている（図６参照）。補強挿入体１７１７は、管保持体１のほぼ全長に亙って延びているが、端面側を管保持体１の材料によってカバーされている。図６に同様に図示してあるように、補強挿入体１７は、管保持体１の中央部分１６の幅及び高さの大部分を占めている。みぞ９の領域で補強挿入体１７の中央脚部１８はそれぞれ、中央脚部の端面が管保持体１の材料によってカバーされたままである程度に切欠かれている。
【００１３】
ポリマー材料として、有利にはプラスチック、例えばポリエチレンが用いられる。このようなプラスチック材料は、十分な強度を有すると共に、ある程度のフレキシブル性を有し、例えば４３乃至４８のショア硬さＤを有しているので、切欠き２内に受容された管は、管保持体１の締め付け後、線状ではなく条片状の接触領域で側面３、もしくは側面３及び基面４に係合する。
【００１４】
図３から判るように、管は切欠き２内に確実に受容されかつ支持される。管の直径は広範な領域に亙って可変であるが、もちろん１つの管層内で同一の直径を有する管のみが支持されていてよい。その都度の適用可能な直径領域は、台形の切欠き２の幾何学形状、すなわち、側面３の傾き及び基面４の高さにおける側面３の相互間隔に従って設定される。切欠き２の形状は、所定の直径領域内の直径値を有するいかなる管も、各切欠き２の少なくとも側面３、または側面３及び基面４に接触することを保証する。
【００１５】
装着する管が重量のある場合のためにフラットベルト１０及びラチェット式ターンバックル１４の代わりに、締め付け手段としてねじ式ターンバックル２０が設けられていてよく、このようなねじ式ターンバックル２０は例えば、外側横断面が六角形の中空の締め付け棒２１及び２つの締め付け部材２２から形成されている。締め付け棒２１は、各端部側で逆向きの内ねじ山２１´を有しており、この内ねじ山２１´に、締め付け部材２２の、外ねじ山２３´を備えた締め付けピン２３が螺入可能である。２つの締め付けピン２３はそれぞれ締め付けフック２４を有しており、この締め付けフック２４はそれぞれ横方向差込部材１１に載着可能である。少なくとも１つの締め付けフック２４の代わりにアイ（アイフック）を使用することができる。
【００１６】
図７及び図８に図示した取付け位置において締め付けは、締め付け棒２１に当て付けられるねじスパナを用いて、または例えば２つの締め付け部材２２の間の領域で締め付け棒２１に差込開口が設けられている場合、締め付けレバー部材を用いて締め付け棒２１を回動することによって行われる。このような実施例では、締め付け棒２１は任意の外側横断面、例えば円形の横断面を有していてもよい。
【００１７】
ねじ式ターンバックル２０の構成部材の締め付け位置を固定するために、適当な周知のあらゆる手段を用いることができる。特に単純な実施例では、少なくとも１つの締め付けボルト２３に止ナット２６が設けられており、この止ナット２６は、これに隣接する締め付け棒２１の端面に対して対向係合でねじ止め可能である。
【図面の簡単な説明】
【図１】それぞれ３本の管を有する３つの管層を受容するための本発明による装置の斜視図である。
【図２】図１の装置の、１つの管保持体の斜視図である。
【図３】受容可能な管の直径範囲を図示するための、図２による管保持体の側面図である。
【図４】図１における最下部の管保持体の右側端部の斜視図である。
【図５】図１における最上部の管保持体の左側端部の斜視図である。
【図６】図３Ａ-Ａ線に沿った管保持体の断面図である。
【図７】締め付け手段としてねじ式ターンバックルを備えている、本発明による装置の正面図である。
【図８】ねじ式ターンバックルを図示するための、管保持体の一方の端部の部分図である。
【符号の説明】
１  管保持体、  ２  切欠き、  ３  側面、  ４  基面、  ５  外面、  ６  端面、  ７,８  端縁部、  ９  みぞ、  １０  締め付け手段、  １１  横方向孔、  １２  中央平面、  １３  横方向差込部材、  １４  ラチェット式ターンバックル、  １５  内側みぞ、  １６  中央部分、  １７  補強挿入体、  １８中央脚部、  ２０  ねじ式ターンバックル、  ２１  締め付け棒、  ２１´  内ねじ山、  ２２  締め付け部材、  ２３  締め付けピン、  ２３´  外ねじ山、  ２４  締め付けフック、  ２６  止ねじ
【図１】
0003742718.tif 000002
【図２】
0003742718.tif 000003
【図３】
0003742718.tif 000004
【図４】
0003742718.tif 000005
【図５】
0003742718.tif 000006
【図６】
0003742718.tif 000007
【図７】
0003742718.tif 000008
【図８】
0003742718.tif 000009